【手続補正書】
【提出日】平成19年10月25日(2007.10.25)
【手続補正１】
【補正対象書類名】特許請求の範囲
【補正対象項目名】全文
【補正方法】変更
【補正の内容】
【特許請求の範囲】
【請求項１】
第１の壁と、第２の壁と、前記第１の壁および前記第２の壁の間の断熱体とを有する機器本体と；
前記断熱体内に埋込まれた水流部品または前記水流部品の一部を備える水ろ過装置と、ここで、前記水流部品が、隔壁取付け部品を備え、前記隔壁取付け部品が、入口ポート、出口ポート、および電気接続を備え；
を含む機器。
【請求項２】
ろ過マニホールドとカートリッジフィルタとを含み、前記カートリッジフィルタが、ろ過回路がマニホールド入口とマニホールド出口との間に画定されように、前記ろ過マニホールドに作動可能に接続され、ここで少なくとも１つの水流部品または前記少なくとも１つの水流部品の一部が、断熱性構造体内に埋込まれる、断熱された機器と共に使用する水ろ過装置。
【請求項３】
断熱性気泡体と、隔壁取付部品と、前記隔壁取付部品に接続された少なくとも１つの管部とを含み、ここで、前記隔壁取付部品および前記少なくとも１つの管部の両方が、前記断熱性気泡体内に部分的に埋込まれる、断熱された構造体。
【手続補正２】
【補正対象書類名】明細書
【補正対象項目名】０００７
【補正方法】変更
【補正の内容】
【０００７】
いくつかの代表的な実施形態において、水流部品（以下、水ろ過部品ともいう。）またはその一部が金型内に配置され、それにより、水ろ過部品またはその一部が、構造部材内にあり、より小さい内部の使用可能な貯蔵空間を占め、それにより、消費者の使用のためのより大きい使用可能な貯蔵空間を空ける。
【手続補正３】
【補正対象書類名】明細書
【補正対象項目名】００１６
【補正方法】変更
【補正の内容】
【００１６】
いくつかの代表的な実施形態において、図７、図８、図９、図１０および図１１に示されているように、隔壁取付部品１００は水ろ過装置１３２に取り付けることができる。たとえば、いくつかの代表的な実施形態において、水ろ過装置１３２は、隔壁取付部品１００に加えて、マニホールドアセンブリ１３４と、カートリッジフィルタ１３６とを含むことができる。水ろ過装置１３２は、たとえば、そのすべてを本開示と矛盾しない程度に参照により本明細書に取り込んでいる、「滴のたれない浄化マニホールドおよびカートリッジ（Ｄｒｉｐｌｅｓｓ  Ｐｕｒｉｆｉｃａｔｉｏｎ  Ｍａｎｉｆｏｌｄ  ａｎｄ  Ｃａｒｔｒｉｄｇｅ）」という名称の、Ｍａｇｕｎｕｓｏｎらへの米国特許第６，０２７，６４４号明細書、「こぼれの少ない交換可能な水フィルタアセンブリ（Ｌｏｗ  Ｓｐｉｌｌａｇｅ  Ｒｅｐｌａｃｅａｂｌｅ  Ｗａｔｅｒ  Ｆｉｌｔｅｒ  Ａｓｓｅｍｂｌｙ）」という名称の、Ｆｒｉｔｚｅの米国特許第６，６３２，３５５号明細書、「フィルタアセンブリ（Ｆｉｌｔｅｒ  Ａｓｓｅｍｂｌｙ）」という名称の、Ｆｒｉｔｚｅの米国特許第６，６４９，０５６号明細書、および「水フィルタアセンブリ（Ｗａｔｅｒ  Ｆｉｌｔｅｒ  Ａｓｓｅｍｂｌｙ）」という名称の同時係属中の米国特許出願第１０／４４５，３７２号明細書に記載されているような代替構成を含むことができる。同様に、カートリッジフィルタ１３６は、たとえば、上で取り込んでいる開示に記載され開示されているような構成、ならびに、各々を本開示と矛盾しない程度に参照により本明細書に取り込んでいる、同時係属中の米国特許出願第０９／６１８，６８６号明細書、米国特許出願第０９／９２９，９２０号明細書、米国特許出願第１０／１９６，３４０号明細書、米国特許出願第１０／２０２，２９０号明細書および米国特許出願第１０／４０６，６３７号明細書に記載された構成などのさまざまな代替構成をとることができる。マニホールドアセンブリ１３４を、本開示の精神および範囲から逸脱することなく、並列または直列配列で、複数のカートリッジフィルタ１３６を収容するように適合させることができることが、当業者によってさらに理解されるであろう。
【手続補正４】
【補正対象書類名】明細書
【補正対象項目名】００１７
【補正方法】変更
【補正の内容】
【００１７】
マニホールドアセンブリ１３４およびカートリッジフィルタ１３６を、カートリッジフィルタ１３６がマニホールドアセンブリ１３４に選択的に取り出し可能および／または取り付け可能であるように適合させることができる。たとえば、先に取り込んでいる開示に説明され示されているような螺旋状ランプ、角度をつけられたタブおよび対応するレシーバなどの要素の使用によって、カートリッジフィルタ１３６の、マニホールドアセンブリ１３４への回転自在な相互接続を考慮するように、マニホールドアセンブリ１３４およびカートリッジフィルタ１３６を構成することができる。あるいは、本開示と矛盾しない程度に参照により本明細書に取り込んでいる、同時係属中の米国特許出願第１０／２１０，８９０号明細書に説明され示されているような摺動可能な係合機構によって、マニホールドアセンブリ１３４およびカートリッジフィルタ１３６を作動可能に接続することができる。さらに、たとえば、各々を本開示と矛盾しない程度に参照により取り込んでいる、「カートリッジアダプタ（Ｃａｒｔｒｉｄｇｅ  Ａｄａｐｔｅｒ）」という名称の、Ｆｒｉｔｚｅの米国特許第６，３６０，７６４号明細書、および「カートリッジアダプタ（Ｃａｒｔｒｉｄｇｅ  Ａｄａｐｔｅｒ）」という名称の、Ｆｒｉｔｚｅの米国特許第６，４２６，００１号明細書に記載されたアダプタなどのアダプタの使用によって、マニホールドアセンブリ１３４およびカートリッジフィルタ１３６を作動可能に接続してもよい。
【手続補正５】
【補正対象書類名】明細書
【補正対象項目名】００２４
【補正方法】変更
【補正の内容】
【００２４】
いったん、隔壁取付部品１００、入口管１１６、出口管１１８ａ、１１８ｂおよび配線対１２６ａ、１２６ｂが配置されると、機器の断熱性を加えることができる。たとえば冷蔵庫などの冷蔵機器を製造する現在の方法は、図１６に示されているように、外部機器壁１９４に対して、内側ライナ、たとえば冷蔵ライナ１７８またはフリーザライナ１８６を現場発泡することを含む。冷蔵ライナ１７８と外部機器壁１９４との間に作動可能配置された気泡体１９６が、冷蔵ライナ１７８および外部機器壁１９４を相互に関し作動可能に接合し配置しながら断熱と機械的一体性を提供するという二重目的を果たす。現場発泡作業を用いることによって、内側ライナと外部壁との間のコネクタおよび支持体の使用を低減するかなくすことができ、これらの接続部のコストを減少させ、また、そのような接続部を通るいかなる熱伝導もなくすのに役立つことができる。この現場発泡作業などは、水ろ過装置部品またはその部分を、気泡体と部品との間に密接な接触があると共に気泡体の構造的一体性を破壊せずに部品を取り出すことができないように、気泡体内に埋込む。適切な気泡体としては、ポリウレタン気泡体および同じ機能を行うことができる同種のものが挙げられるが、これらに限定されない。適切な現場発泡方法および説明が、たとえば、そのすべてを本開示と矛盾しない程度に参照により本明細書に取り込んでいる、「発泡プラスチック断熱体を有する断熱容器（Ｈｅａｔ  Ｉｎｓｕｌａｔｅｄ  Ｃｏｎｔａｉｎｅｒ  Ｈａｖｉｎｇ  Ｆｏａｍｅｄ  Ｐｌａｓｔｉｃ  Ｉｎｓｕｌａｔｉｏｎ）」という名称の、Ｍｏｒｒｉｓｏｎの米国特許第２，５５２，６４１号明細書、「冷蔵庫アセンブリを製造する方法（Ｍｅｔｈｏｄ  ｏｆ  Ｍａｋｉｎｇ  ａ  Ｒｅｆｒｉｇｅｒａｔｏｒ  Ａｓｓｅｍｂｌｙ）」という名称の、Ｃａｒｂａｒｙらの米国特許第３，４４０，３０８号明細書、「冷蔵庫キャビネット（Ｒｅｆｒｉｇｅｒａｔｏｒ  Ｃａｂｉｎｅｔｓ）」という名称の、Ｋｉｔｓｏｎの米国特許第３，７０７，４２３号明細書、「冷蔵庫を組立てる方法（Ｍｅｔｈｏｄ  ｏｆ  Ａｓｓｅｍｂｌｉｎｇ  ａ  Ｒｅｆｒｉｇｅｒａｔｏｒ）」という名称の、Ｔａｙｌｏｒ，  Ｊｒ．らの米国特許第４，７７１，５３２号明細書、「冷蔵庫キャビネットを製造する方法（Ｍｅｔｈｏｄ  ｏｆ  Ｍａｋｉｎｇ  ａ  Ｒｅｆｒｉｇｅｒａｔｏｒ  Ｃａｂｉｎｅｔ）」という名称の、Ｗｉｎｔｅｒｈｅｉｍｅｒらの米国特許第５，０３３，１８２号明細書、および「冷蔵庫ドア構成（Ｒｅｆｒｉｇｅｒａｔｏｒ  Ｄｏｏｒ  Ｃｏｎｓｔｒｕｃｔｉｏｎ）」という名称の、Ｓｃｈｍｉｄｔらへの米国特許第５，７０４，１０７号明細書に開示されている。